(57)【要約】【課題】蓋の開閉時に収容箱の内外を異なる態様で照明可能で、導光体を幅広形状にした上で光の損失が少ない形状にしても発光部に明暗差が生じない照明付収容箱を提供する。【解決手段】発光部３３は、蓋部３０の前端部上面側に配置され、蓋部３０の幅方向に幅広形状である。第２導光体６０は、入射面６１から出射面６３に向けて幅が広がる略扇形状を成し、入射面６１は発光部３３の幅方向の端部から外側の位置に配置形成されている。蓋部３０を閉じた状態では、光源部４０の放射光が第１導光体５０の内部を導光されて出射面６３から出射された後に発光部３３から放射されることにより、蓋部３０の外部が照明される。蓋部３０を開いた状態では、光源部４０の放射光が第２導光体６０の内部を導光された後にカップホルダ２３内（収容部２０の内部）に放射されることにより、カップホルダ２３内が照明される。【選択図】  図２
2014084041.tif 000002
【特許請求の範囲】
【請求項１】
物品を収容するための収容部と、
前記収容部に対してスライド可能に取り付けられ、前記収容部の開口部を開閉する蓋部と、
前記収容部に取付固定され、光を放射する光源部と、
前記収容部の内部に取付固定された第１導光体と、
前記蓋部の内部に取付固定された第２導光体と、
前記蓋部の取っ手部分となる前端部の上面側に配置され、前記蓋部の幅方向に幅広形状な発光部と
を備えた照明付収容箱であって、
前記第２導光体は、前記光源部の放射光が入射される入射面と、前記入射面から入射された光を出射する出射面とを備え、前記入射面から前記出射面に向けて幅が広がる略扇形状を成し、前記入射面は前記発光部の幅方向の端部から外側の位置に配置形成され、
前記蓋部を閉じた状態では、前記光源部の放射光が前記第１導光体の内部を導光されて前記出射面から出射された後に前記発光部から放射されることにより、前記蓋部の外部が照明され、
前記蓋部を開いた状態では、前記光源部の放射光が前記第２導光体の内部を導光された後に前記収容部の内部に放射されることにより、前記収容部の内部が照明される照明付収容箱。
【請求項２】
前記第２導光体は、２つの側面の長さが異なる幅方向に非対称な形状であり、
前記第２導光体の２つの側面の内の長さが短い方の側面に、前記第２導光体を前記蓋部の内部に取付固定するための取付部が形成されている、請求項１に記載の照明付収容箱。
【請求項３】
前記光源部の光軸は前記収容部の上方側に向かうように配置され、
前記蓋部を閉じた状態では、前記第２導光体の入射面が前記光軸と交差する、請求項１または請求項２に記載の照明付収容箱。
【請求項４】
前記第２導光体は、前記入射面から入射された光を前記出射面に反射する反射面を備える、請求項１〜３のいずれか一項に記載の照明付収容箱。
【請求項５】
前記第２導光体の反射面は、前記第２導光体の折れ曲がったコーナー部分の表面に形成された傾斜面から成り、前記傾斜面は内側に湾曲した湾曲形状である、請求項４に記載の照明付収容箱。
【請求項６】
前記光源部に対向した集光レンズを備え、
前記蓋部を閉じた状態では、前記光源部の放射光が前記集光レンズにより集光されて前記第２導光体の入射面へ放射される、請求項１〜５のいずれか一項に記載の照明付収容箱。
【請求項７】
前記集光レンズは前記第１導光体と一体形成されている、請求項６に記載の照明付収容箱。
【請求項８】
前記蓋部を前記収容部に対してスライドさせるためのスライド機構を備え、
前記スライド機構は前記光源部から外れた位置に形成されている、請求項１〜７のいずれか一項に記載の照明付収容箱。
【発明の詳細な説明】
【技術分野】
【０００１】
本発明は照明付収容箱に係り、詳しくは、収容箱の内外を照明可能な照明付収容箱に関するものである。
【背景技術】
【０００２】
従来より、蓋の開閉時に箱の内外を異なる態様で照明する照明付収容箱が知られている。
特許文献１には、ＬＥＤ光源が固定された固定トレイと、固定トレイに対してスライド可能に取り付けられるカップホルダトレイと、カップホルダトレイに備えられた第１および第２の導光体とを備え、第１の導光体はカップホルダトレイが引き出された使用状態のときにＬＥＤ光源の光をカップホルダトレイのホルダ部の下部方向に放射し、第２の導光体はカップホルダトレイが格納状態のときにＬＥＤ光源の光をカップホルダトレイの前面から放射するスライド式収納装置が開示されている。
【先行技術文献】
【特許文献】
【０００３】
【特許文献１】特許第４０７９１５４号公報
【発明の概要】
【発明が解決しようとする課題】
【０００４】
特許文献１の技術において、カップホルダトレイの前方側幅方向の広い範囲に光を放射して照明するには、第２の導光体をカップホルダトレイの幅方向に幅が広い形状にする必要がある。
しかし、第２の導光体を幅広形状にすると、光が放射される発光面（発光部）にＬＥＤ光源が直接映り込み、発光面に明暗差（発光ムラ）が生じるという問題がある。
また、第２の導光体の形状はカップホルダトレイの内部構造による制約を受けるため、導光体を幅広形状にした上で光の損失が少ない形状にすることは困難であるという問題もある。
【０００５】
本発明は前記問題を解決するためになされたものであって、その目的は、蓋の開閉時に収容箱の内外を異なる態様で照明可能で、導光体を幅広形状にした上で光の損失が少ない形状にしても発光部に明暗差が生じない照明付収容箱を提供することにある。
【課題を解決するための手段】
【０００６】
本発明者らは前記課題を解決するために鋭意検討を重ねた結果、下記のように本発明の各局面に想到した。
【０００７】
＜第１の局面＞
第１の局面は、
物品を収容するための収容部と、
前記収容部に対してスライド可能に取り付けられ、前記収容部の開口部を開閉する蓋部と、
前記収容部に取付固定され、光を放射する光源部と、
前記収容部の内部に取付固定された第１導光体と、
前記蓋部の内部に取付固定された第２導光体と、
前記蓋部の取っ手部分となる前端部の上面側に配置され、前記蓋部の幅方向に幅広形状な発光部と
を備えた照明付収容箱であって、
前記第２導光体は、前記光源部の放射光が入射される入射面と、前記入射面から入射された光を出射する出射面とを備え、前記入射面から前記出射面に向けて幅が広がる略扇形状を成し、前記入射面は前記発光部の幅方向の端部から外側の位置に配置形成され、
前記蓋部を閉じた状態では、前記光源部の放射光が前記第１導光体の内部を導光されて前記出射面から出射された後に前記発光部から放射されることにより、前記蓋部の外部が照明され、
前記蓋部を開いた状態では、前記光源部の放射光が前記第２導光体の内部を導光された後に前記収容部の内部に放射されることにより、前記収容部の内部が照明される。
【０００８】
第１の局面では、発光部が蓋部の幅方向に幅広形状であり、蓋部を閉じた状態では光源部の放射光が第１導光体の内部を導光されて出射面から出射された後に発光部から放射されるため、蓋部の前方側幅方向の広い範囲に光を放射して照明することができる。
その結果、蓋部を閉じているときには、蓋部の取っ手部分となる前端部が照明されるため、その前端部を目視確認しながら手を伸ばすことが可能であり、蓋部を容易に開けることができる。
【０００９】
また、第１の局面では、第２導光体が入射面から出射面に向けて幅が広がる略扇形状を成し、第２導光体の入射面は発光部の幅方向の端部から外側の位置に配置形成されているため、第２導光体の入射面と光源部とが発光部に直接映り込むのを防ぐことが可能になり、発光部に明暗差（発光ムラ）が生じるのを防止できる。
そして、第２導光体を前記形状にすることで、第２導光体の形状が、蓋部の内部構造や、蓋部と対向する収容部の上面側構造による制約を受け難くなるため、第２導光体を幅広形状にした上で光の損失が少ない形状にすることができる。
【００１０】
＜第２の局面＞
第２の局面は、第１の局面において、前記第２導光体は、２つの側面の長さが異なる幅方向に非対称な形状であり、前記第２導光体の２つの側面の内の長さが短い方の側面に、前記第２導光体を前記蓋部の内部に取付固定するための取付部が形成されている。
第２の局面では、取付部が第２導光体の短い方の側面に形成されているため、発光部に取付部の影が映り込むのを防ぐことが可能になり、発光部に明暗差が生じるのを防止できる。
【００１１】
＜第３の局面＞
第３の局面は、第１の局面および第１の局面において、前記光源部の光軸は前記収容部の上方側に向かうように配置され、前記蓋部を閉じた状態では、前記第２導光体の入射面が前記光軸と交差する。
第３の局面では、蓋部のスライドに光源部が干渉するのを防止した上で、光源部の放射光を第２導光体の入射面に確実に入射させることができる。
【００１２】
＜第４の局面＞
第４の局面は、第１〜第３の局面において、前記第２導光体は、前記入射面から入射された光を前記出射面に反射する反射面を備える。
第４の局面では、第２導光体が反射面を備えることにより、第２導光体の入射面に入射された光を出射面へ確実に導光させることができる。
【００１３】
＜第５の局面＞
第５の局面は、第４の局面において、前記第２導光体の反射面は、前記第２導光体の折れ曲がったコーナー部分の表面に形成された傾斜面から成り、前記傾斜面は内側に湾曲した湾曲形状である。
【００１４】
第５の局面では、第２導光体の折れ曲がったコーナー部分の表面に形成された傾斜面が反射面となるため、反射面を導光体と別部材で形成する構成（例えば、特許文献１のように、導光体の内部に金属製反射板を斜めに差し込む構成）に比べて、第２導光体の反射面を容易に形成することができる。
また、第５の局面では、第２導光体の反射面である傾斜面が内側に湾曲した湾曲形状であるため、反射面で反射された光は湾曲形状に沿って拡散され、第２導光体の入射面から出射面に向けて幅が広がる略扇形状に満遍無く導光されることから、第２導光体の出射面および発光部に明暗差が生じるのを防止できる。
【００１５】
＜第６の局面＞
第６の局面は、第１〜第５の局面において、前記光源部に対向した集光レンズを備え、前記蓋部を閉じた状態では、前記光源部の放射光が前記集光レンズにより集光されて前記第２導光体の入射面へ放射される。
第６の局面では、光源部の放射光を第２導光体の入射面へ確実に入射させることができる。
【００１６】
＜第７の局面＞
第７の局面は、第６の局面において、前記集光レンズは前記第１導光体と一体形成されている。
第７の局面では、部品点数を増加させてコスト増を招くことなく、第６の局面の作用・効果が得られる。
【００１７】
＜第８の局面＞
第８の局面は、第１〜第７の局面において、前記蓋部を前記収容部に対してスライドさせるためのスライド機構を備え、前記スライド機構は前記光源部から外れた位置に形成されている。
第８の局面では、蓋部のスライドに光源部が干渉するのを確実に防止できる。
【図面の簡単な説明】
【００１８】
【図１】本発明を具体化した一実施形態の照明付収容箱１０の斜視図であり、照明付収容箱１０の蓋部３０を閉じた状態を示す斜視図。
【図２】照明付収容箱１０の上面図。
【図３】照明付収容箱１０の第１導光体５０の上面図。
【図４】図４（Ａ）は、照明付収容箱１０の第２導光体６０の上面図。図４（Ｂ）は、第２導光体６０の要部上面図。
【図５】照明付収容箱１０の縦断面の端面図（図２に示すＸ−Ｘ矢示端面図）であり、蓋部３０を閉じた状態を示す端面図。
【図６】照明付収容箱１０の縦断面の端面図であり、蓋部３０を開いた状態を示す端面図。
【発明を実施するための形態】
【００１９】
以下、本発明を具体化した一実施形態について図面を参照しながら説明する。
尚、各図面では、説明を分かり易くするために、構成部材の寸法形状および配置箇所を誇張して模式的に図示してあり、各構成部材の寸法形状および配置箇所が実物とは異なっている。
【００２０】
図１〜図６に示すように、本実施形態の照明付収容箱（照明付収納箱）１０は、収容部２０（側壁部２１，２２、カップホルダ２３、開口部２３ａ、ガイドリブ２４、取付孔２５、取付部２６、ネジ孔２６ａ、係合突起２６ｂ，２６ｃ）、蓋部３０（カバー部３１、支持固定部３２、係合突起３２ａ〜３２ｃ、開口部３２ｄ、発光部３３）、光源部４０（発光素子４１、絶縁基板４２、筺体４３、光軸Ｌ）、第１導光体５０（平坦部５１、入射面５２、導光部５３、出射面５４、集光レンズ５５、ネジ孔５６、位置決め孔５７，５８）、第２導光体６０（入射面６１、反射面６２、出射面６３、取付部６４ａ，６４ｂ、ゲート部６４ｃ）、雄ネジBS、スライド機構SM（ガイドリブ２４、係合突起３２ａ）などを備えており、自動車のセンターコンソールに設置される自動車用カップホルダボックスとして使用される。
【００２１】
尚、以下の説明において、「正面側」および「前方側」とは、図１〜図６に示す下方側である。
また、「後方側」とは、「正面側」および「前方側」の反対側であり、図１〜図６に示す上方側である。
また、「右」とは照明付収容箱１０を正面側から見た正面視にて右方を指し、「左」とは照明付収容箱１０の正面視にて左方を指し、「左右方向」とは照明付収容箱１０の収容部２０および蓋部３０の幅方向を指す。
【００２２】
図１，図２，図５，図６に示すように、収容部（収納部）２０の上面側の左右両側には側壁部２１，２２が立設され、収容部２０の前方側にはカップホルダ２３が配置形成され、収容部２０の後方上面側中央部にて蓋部３０と対向する部分にはガイドリブ２４が配置形成され、収容部２０の後方上面側左方にて蓋部３０と対向する部分には取付孔２５が貫通形成され、収容部２０の上面側左方にて取付孔２５の後方には取付部２６が配置形成されている。
収容部２０は、光源部４０の光を透過しない不透明な合成樹脂材料の射出成形により一体形成されている。
【００２３】
図１および図２に示すように、側壁部２１，２２は一定肉厚の板状である。
図５および図６に示すように、カップホルダ２３は上面側が開放された箱状であり、カップホルダ２３の後方側の内壁面には開口部２３ａが貫通形成されている。
カップホルダ２３には、物品である飲料容器のカップ（図示略）が収容される。
図１および図２に示すように、ガイドリブ２４は、長尺平板に歯切りされたラック状であり、収容部２０の左右方向の略中央部にて収容部２０の前後方向に配置形成されると共に、側壁部２１，２２と平行に配置形成されている。
【００２４】
図１および図２に示すように、取付部２６の上面側は平坦に形成されている。取付部２６には、ネジ孔２６ａが貫通形成されると共に、係合突起２６ｂ，２６ｃが上面側に向けて突設されている。
【００２５】
図１，図２，図５，図６に示すように、蓋部３０は、照明付収容箱１０の上面側に設けられたカバー部３１と、カバー部３１の下面側に設けられた支持固定部３２と、蓋部３０の取っ手部分となるカバー部３１の前端部の上面側に配置されてカバー部３１の左右方向に延出された長尺略直方体状の発光部３３とを備える。
支持固定部３２の下面側には係合突起３２ａが突設され、支持固定部３２には開口部３２ｄが貫通形成されている。
カバー部３１および支持固定部３２は、光源部４０の光を透過しない不透明な合成樹脂材料の射出成形により一体形成されている。
【００２６】
図１および図５に示すように、蓋部３０は収容部２０の側壁部２１，２２の間に嵌合され、蓋部３０の支持固定部３２の係合突起３２ａは収容部２０のガイドリブ２４に係合され、蓋部３０を閉じた状態では収容部２０のカップホルダ２３を覆って蓋をする。
図１および図２に示すように、蓋部３０の開閉時には、蓋部３０の支持固定部３２の係合突起３２ａが、収容部２０のガイドリブ２４に係合しながらスライドする。
【００２７】
図１，図２，図５，図６に示すように、発光部３３は、光源部４０の光を透過する透明な合成樹脂材料の射出成形により一体形成されており、発光部３３の表面には光を透過する薄いメッキ層（図示略）が形成され、発光部３３はカバー部３１に貫通形成された取付孔に嵌合され、発光部３３の表面（メッキ層）がカバー部３１から露出されている。
【００２８】
図５および図６に示すように、光源部４０は、発光素子４１が搭載（実装）された絶縁基板４２と、発光素子４１および絶縁基板４２を収容する筺体４３とを備える。
発光素子４１は半導体発光素子（例えば、ＬＥＤ、有機ＥＬなど）であり、略砲弾型の発光素子４１の先端側に設けられた発光部分は筺体４３の上面側から露出されている。
筺体４３は、合成樹脂材料の射出成形によって形成されており、収容部２０の下面側に取付固定されている。
発光素子４１の先端側は、収容部２０の取付孔２５から露出されている。
光源部４０（発光素子４１）の光軸Ｌは、収容部２０の上方側に向かうように配置されている。
【００２９】
発光素子４１は絶縁基板４２に搭載された点灯回路（図示略）に接続され、その点灯回路には外部接続端子（図示略）が接続され、その外部接続端子は収容部２０の下面側から外部に向けて突出している。
光源部４０には外部電源から電源供給がなされ、外部電源の電源ケーブル（図示略）が前記外部接続端子に電気的に接続される。
絶縁基板４２に搭載された点灯回路は、前記外部接続端子を介して供給された外部電源から所定の電流・電圧の内部電源を生成し、発光素子４１に出力して点灯させる。
【００３０】
図１〜図３，図５，図６に示すように、第１導光体５０は、平板状の平坦部５１の下面側に入射面５２が配置形成され、平坦部５１の上面側から延出された板状の導光部５３の先端部に出射面５４が配置形成され、入射面５２の上方に位置する平坦部５１の上面側に突設された砲弾状の集光レンズ（凸レンズ）５５と、平坦部５１に貫通形成されたネジ孔５６と、平坦部５１の上面側に突設された位置決め孔５７，５８とを備える。
位置決め孔５７は集光レンズ５５の左方側に配置形成され、位置決め孔５８は集光レンズ５５の後方側に配置形成されている。
【００３１】
図１および図２に示すように、第１導光体５０の平坦部５１は収容部２０の取付部２６の上面側にて、第１導光体５０のネジ孔５６と取付部２６のネジ孔２６ａとに雄ネジBSが螺着され、第１導光体５０の位置決め孔５７，５８にそれぞれ収容部２０の係合突起２６ｂ，２６ｃが係合されることにより、収容部２０に対して位置決めがなされた状態で第１導光体５０が取付固定されている。
【００３２】
図５および図６に示すように、第１導光体５０の入射面５２は収容部２０の取付孔２５から露出され、入射面５２と発光素子４１の先端側とが対向し、入射面５２が光源部４０（発光素子４１）の光軸Ｌと交差すると共に、光軸Ｌが集光レンズ５５の光軸と合致するように配置されている。
第１導光体５０の出射面５４は、収容部２０のカップホルダ２３の開口部２３ａから露出されている。
【００３３】
図２，図４〜図６に示すように、第２導光体６０は、下面側に入射面６１が配置形成され、入射面６１から斜め上方側に反射面６２が配置形成され、反射面６２の前方側で且つ上面側に出射面６３が配置形成され、左右方向の幅が入射面６１から出射面６３に向けて広がる略扇形状で且つ面方向に湾曲した略扁平状を成している。
第２導光体６０は、左側の側面の長さに比べて右側の側面の長さの方が長い左右非対称な形状であり、左側の側面の後方側と前方側にはそれぞれ取付部６４ａ，６４ｂが面方向に突設され、左側の側面にて取付部６４ａ，６４ｂの間にはゲート部６４ｃが面方向に突設されている。
【００３４】
図４〜図６に示すように、第２導光体６０の反射面６２は、第２導光体６０の折れ曲がったコーナー部分の表面に形成された傾斜面からなる。
図４に示すように、第２導光体６０の反射面６２となる傾斜面は、内側に湾曲した湾曲形状になっている。
第２導光体６０の反射面６２は、微細な凹凸が無い平坦状に加工されており、その界面において、光が散乱しないよう構成されている。反射界面において、光は、その屈折率差に伴う界面反射や全反射により、所定の方向に反射される。
【００３５】
図５および図６に示すように、第２導光体６０は、蓋部３０のカバー部３１と支持固定部３２の間（蓋部３０の内部）に収容され、第２導光体６０の入射面６１は、蓋部３０の開口部３２ｄから下方に向けて突出している。
そして、図２および図４に示すように、第２導光体６０の取付部６４ａ，６４ｂに貫通形成された係合孔が、支持固定部３２の係合突起３２ｂ，３２ｃに係合されることにより、支持固定部３２に対して位置決めがなされた状態で、蓋部３０の内部に第２導光体６０が取付固定されている。
図２に示すように、第２導光体６０を蓋部３０の内部に取付固定した状態では、第２導光体６０の入射面６１および反射面６２が発光部３３の幅方向の左端部から外側の位置に配置形成されている。
【００３６】
図５に示すよう、蓋部３０を閉じた状態では、光源部４０の光軸Ｌが、第２導光体６０の入射面６１と交差するように配置されている。
図５および図６に示すように、第２導光体６０の出射面６３は、蓋部３０の発光部３３の裏面側に面接触する。
これにより、出射面６３から出射されて発光部３３へ入射される光が、出射面６３と発光部３３の間で損失される光損失を減少させることができる。
第２導光体６０の出射面６３の左右方向の長さは、発光部３３の左右方向の長さと略同一に形成されており、出射面６３の左右方向の略全体が発光部３３に面接触する。
尚、出射面６３と発光部３３を一体化させ、出射面６３を発光部３３として蓋部３０から露出させるようにしてもよい。
【００３７】
導光体５０，６０は、透光性を有する合成樹脂材料（例えば、アクリル、ポリカーボネートなど）の射出成形によって一体形成されている。
第２導光体６０の射出成形時には、ゲート部６４ｃから合成樹脂材料が注入される。
尚、導光体５０，６０の詳細な寸法形状については、後述する作用・効果が確実に得られるように、実験やシミュレーション等に基づいて最適な寸法形状に設定すればよい。
【００３８】
［蓋部３０を閉じた状態における照明態様］
図１，図２，図５に示すように、蓋部３０を閉じた状態では、蓋部３０が収容部２０のカップホルダ２３を覆って蓋をし、蓋部３０の発光部３３が照明付収容箱１０の上面前方側に露出される。
【００３９】
そして、蓋部３０を閉じた状態では、第２導光体６０の入射面６１が第１導光体５０の集光レンズ５５の先端側に対して間隙を設けて対向し、第２導光体６０の入射面６１と、第１導光体５０の集光レンズ５５および入射面５２と、光源部４０の発光素子４１とが一直線上に配置された状態となり、入射面６１，５２と光源部４０（発光素子４１）の光軸Ｌとが直交する。
【００４０】
そのため、発光素子４１の放射光は、まず、第１導光体５０の入射面５２から入射して集光レンズ５５で集光され、次に、第２導光体６０の入射面６１から入射され、続いて、反射面６２で反射されてから第２導光体６０内を導光されて出射面６３から出射され、その後に、発光部３３を透過して放射されることから、照明付収容箱１０の上面前方側が照明される。
ここで、蓋部３０のカバー部３１から露出された発光部３３の表面は、カバー部３１の幅方向（左右方向）に幅が広い長尺矩形状であるため、照明付収容箱１０の前方側左右方向の広い範囲に光を放射して照明することができる。
【００４１】
［蓋部３０を開いた状態における照明態様］
図６に示すように、蓋部３０を開いた状態では、収容部２０のカップホルダ２３が露出される。
そして、発光素子４１の放射光は、まず、第１導光体５０の入射面５２から入射して導光部５３内を導光されて出射面５４から出射され、カップホルダ２３の開口部２３ａからカップホルダ２３内に放射されることから、カップホルダ２３内が照明される。
【００４２】
ここで、蓋部３０を開いた状態では、第２導光体６０の入射面６１が収容部２０の後方側に移動し、入射面６１が光源部４０の光軸Ｌと交差しない状態になるため、第２導光体６０内を光が導光されることはなく、蓋部３０の発光部３３から光が放射されることもない。
尚、蓋部３０を閉じた状態でも、発光素子４１の放射光は第１導光体５０の出射面５４からカップホルダ２３内に放射されるが、蓋部３０を閉じるとカップホルダ２３内を外部から視認することはできない。
【００４３】
［照明付収容箱１０の作用・効果］
本実施形態の照明付収容箱１０によれば、以下の作用・効果を得ることができる。
【００４４】
［１］照明付収容箱１０は、収容部２０と、収容部２０に対してスライド可能に取り付けられて収容部２０の開口部であるカップホルダ２３の上面側を開閉する蓋部３０と、収容部２０に取付固定されて光を放射する光源部４０と、収容部２０の内部に取付固定された第１導光体５０と、蓋部３０の内部に取付固定された第２導光体６０と、蓋部３０の取っ手部分となる前端部の上面側に配置されて蓋部３０の幅方向に幅広形状な発光部３３とを備える。
【００４５】
第２導光体６０は、光源部４０の放射光が入射される入射面６１と、入射面６１から入射された光を出射する出射面６３とを備え、入射面６１から出射面６３に向けて幅が広がる略扇形状を成し、入射面６１は発光部３３の幅方向の端部から外側の位置に配置形成されている。
蓋部３０を閉じた状態では、光源部４０の放射光が第１導光体５０の内部を導光されて出射面６３から出射された後に発光部３３から放射されることにより、蓋部３０の外部が照明される。
蓋部３０を開いた状態では、光源部４０の放射光が第２導光体６０の内部を導光された後にカップホルダ２３内（収容部２０の内部）に放射されることにより、カップホルダ２３内が照明される。
【００４６】
照明付収容箱１０では、発光部３３が蓋部３０の幅方向に幅広形状であり、蓋部３０を閉じた状態では光源部４０の放射光が第１導光体５０の内部を導光されて出射面６３から出射された後に発光部３３から放射されるため、蓋部３０の前方側幅方向の広い範囲に光を放射して照明することができる。
その結果、蓋部３０を閉じた状態では、蓋部３０の取っ手部分となる前端部が照明されるため、その前端部を目視確認しながら手を伸ばすことが可能であり、蓋部３０を容易に開けることができる。
【００４７】
また、照明付収容箱１０では、第２導光体６０が入射面６１から出射面６３に向けて幅が広がる略扇形状を成し、第２導光体６０の入射面６１は発光部３３の幅方向の端部から外側の位置に配置形成されているため、第２導光体６０の入射面６１および反射面６２と光源部４０とが発光部３３に直接映り込むのを防ぐことが可能になり、発光部３３に明暗差（発光ムラ）が生じるのを防止できる。
そして、第２導光体６０を前記形状にすることで、第２導光体６０の形状が、蓋部３０の内部構造（特に、支持固定部３２）や、蓋部３０と対向する収容部２０の後方上面側の構造（特に、ガイドリブ２４）による制約を受け難くなるため、第２導光体６０を幅広形状にした上で光の損失が少ない形状にすることができる。
【００４８】
［２］第２導光体６０は、２つの側面の長さが異なる幅方向に非対称な形状であり、第２導光体６０の２つの側面の内の長さが短い方の側面に、第２導光体６０を蓋部３０の内部に取付固定するための取付部６４ａ，６４ｂおよびゲート部６４ｃが形成されている。
そのため、取付部６４ａ，６４ｂおよびゲート部６４ｃの影が発光部３３に映り込むのを防ぐことが可能になり、発光部３３に明暗差が生じるのを防止できる。
【００４９】
［３］光源部４０の光軸は収容部２０の上方側に向かうように配置され、蓋部３０を閉じた状態では、第２導光体６０の入射面６１が光軸と交差する。
そのため、蓋部３０のスライドに光源部４０が干渉するのを防止した上で、光源部４０の放射光を第２導光体６０の入射面６１に確実に入射させることができる。
【００５０】
［４］第２導光体６０は、入射面６１から入射された光を出射面６３に反射する反射面６２を備えるため、第２導光体６０の入射面６１に入射された光を出射面６３へ確実に導光させることができる。
【００５１】
［５］第２導光体６０の折れ曲がったコーナー部分の表面に形成された傾斜面が反射面６２となるため、反射面６２を導光体と別部材で形成する構成（例えば、特許文献１のように、導光体の内部に金属製反射板を斜めに差し込む構成）に比べて、第２導光体６０の反射面６２を容易に形成することができる。
また、図４（Ｂ）に示すように、第２導光体６０の反射面６２である傾斜面が内側に湾曲した湾曲形状であるため、反射面６２で反射された光は、矢印αに示すように、湾曲形状に沿って拡散され、第２導光体６０の入射面６１から出射面６３に向けて幅が広がる略扇形状に満遍無く導光されることから、第２導光体６０の出射面６３および発光部３３に明暗差が生じるのを防止できる。
【００５２】
［６］光源部４０に対向した集光レンズ５５を備え、蓋部３０を閉じた状態では、光源部４０の放射光が集光レンズ５５により集光されて第２導光体６０の入射面６１へ放射されるため、光源部４０の放射光を第２導光体６０の入射面６１へ確実に入射させることができる。
【００５３】
［７］集光レンズ５５は第１導光体５０と一体形成されているため、部品点数を増加させてコスト増を招くことなく、前記［６］の作用・効果が得られる。
【００５４】
［８］蓋部３０の支持固定部３２の係合突起３２ａと、収容部２０のガイドリブ２４とによりスライド機構SMが構成され、蓋部３０の開閉時には、係合突起３２ａがガイドリブ２４に係合しながら、蓋部３０が収容部２０に対してスライドする。
そして、スライド機構SMは光源部４０から外れた位置に形成されているため、蓋部３０のスライドに光源部４０が干渉するのを確実に防止できる。
【００５５】
＜別の実施形態＞
前記実施形態の照明付収容箱１０は自動車用カップホルダボックスに適用したものであるが、本発明は自動車用センターコンソールボックスに適用してもよく、自動車内に限らずどのような場所で使用される照明付収容箱に適用してもよい。
【００５６】
本発明は、前記各局面および前記各実施形態の説明に何ら限定されるものではない。特許請求の範囲の記載を逸脱せず、当業者が容易に想到できる範囲で種々の変形態様も本発明に含まれる。本明細書の中で明示した論文、公開特許公報、特許公報などの内容は、その全ての内容を援用によって引用することとする。
【符号の説明】
【００５７】
１０…照明付収容箱
２０…収容部
２３…カップホルダ
３０…蓋部
３１…カバー部
３２…支持固定部
３３…発光部
４０…光源部
４１…発光素子
５０…第１導光体
５１…平坦部
５２…入射面
５３…導光部
５４…出射面
５５…集光レンズ
６０…第２導光体
６１…入射面
６２…反射面
６３…出射面
６４ａ，６４ｂ…取付部
６４ｃ…ゲート部
Ｌ…光軸
SM…スライド機構（ガイドリブ２４、係合突起３２ａ）
【図１】
2014084041.tif 000003
【図２】
2014084041.tif 000004
【図３】
2014084041.tif 000005
【図４】
2014084041.tif 000006
【図５】
2014084041.tif 000007
【図６】
2014084041.tif 000008